(57)【要約】【課題】媒体内に塵埃が混入しにくく、貸出可能ないし貸出中以外の陳列商品状態ないし商品特性の表示につき、内収納ケースの個性化を必要とせずに、貸出可能ないし貸出中の表示と同等の視覚的訴求力をもって表示することが可能な情報記録媒体の陳列用収納ケースとその陳列方法を提供する。【解決手段】陳列用収納ケース１の上端面１ｂより出没自在な貸出可能表示体２が、ケースの展開により交換自在であって、取付時はその可動支持手段である板状片３に可動載架されている。貸出可能表示体２は、ビデオカセットなど情報記録媒体ないしこれが収納された内収納ケース１０が、陳列用収納ケース１の垂立開口面１ａより内挿収納されるとケース外に突出し、脱挿されるとケース内に没入する。【選択図】　　　　図１
2004001811.tif 000002
【特許請求の範囲】
【請求項１】
情報記録媒体ないしこれを収納する内収納ケースに併せた中空の平直方体形状であって、情報記録媒体が出し入れ自在に収納され、陳列棚に配置して陳列されるとともに、情報記録媒体ないしこれを収納する内収納ケースがケース内に収納された状態を貸出可能状態とし、情報記録媒体ないしこれを収納する内収納ケースが取り出されケース内にない状態を貸出中状態として、これらの状態を陳列時に表示する貸出状態表示手段を備えた情報記録媒体の陳列用収納ケースにおいて、該陳列用収納ケースが、情報記録媒体の厚み部分に対応する垂立面の一つを、開口面として収納口とするとともに、上記表示手段が固形の貸出可能表示体を備え、該貸出可能表示体が、ケース上域に設けられた可動支持手段により可動支持されケース内外に出没自在であるとともに、上記貸出可能状態では、前記貸出可能表示体が、情報記録媒体ないしこれを収納する内収納ケースに押上げられて突出し、上記貸出中状態では、前記貸出可能表示体がケース内に没入する構成としたことを特徴とする情報記録媒体の陳列用収納ケース。
【請求項２】
情報記録媒体ないしこれを収納する内収納ケースの収納陳列時には、請求項１記載の情報記録媒体の陳列用収納ケースに、情報記録媒体ないしこれを収納する内収納ケースを、垂立開口面より挿入して収納し、貸出可能表示体をケース外に上方突出させ、貸出可能表示体が上方突出した状態、並びに、情報記録媒体の貸出時等収納ケースへの不収納陳列時には、情報記録媒体ないしこれを収納する内収納ケースを、垂立開口面より脱挿して収納し、貸出可能表示体をケース内に没入させ、貸出可能表示体が視認不能ないしはこれに近い状態、の両状態を顧客が視認可能となる位置に、請求項１記載の情報記録媒体の陳列用収納ケースを配置して、陳列棚に陳列することを特徴とする情報記録媒体の陳列方法。
【請求項３】
垂立開口面に隣接し、ケースの垂立板部、すなわち情報記録媒体ないしこれを収納する内収納ケースを収納時に当接挟持する垂立板状部に、当接挟持補強手段が設けられたことを特徴とする請求項１記載の情報記録媒体の陳列用収納ケース。
【請求項４】
陳列用収納ケースが、ケース状態形成時にケース状態固定手段を備え、垂立開口面より展開自在であり、ケース上端面に、上記貸出可能表示体の可動支持手段である板状片が架在する構成とし、該架在板状片の両端となるケース上端面の適宜位置に、出没案内スリットが形成されるとともに、貸出可能表示体が、少なくとも１側面を開口面とする類直方体状の枡状体であって、該枡状体の１辺が切欠形状となり緩曲凸状のワープ面ないしテーパ面に構成され、該ワープ面部ないしテーパ面部をケースの垂立開口面と近接する側の下方位置に配して、上記板状片に載架され、上記枡状体の２垂在片が、上記出没案内スリットに可動内挿されることを特徴とする請求項１記載の情報記録媒体の陳列用収納ケース。
【請求項５】
ケース垂立開口部に近在する出没案内スリットの幅長が、貸出可能表示体の曲面ないしテーパ面形成域の長さとほぼ同じであることを特徴とする請求項４記載の情報記録媒体の陳列用収納ケース。
【請求項６】
ケース垂立開口部に近在する出没案内スリットに、ケース上端面より上方に向け出没案内板が垂設されたことを特徴とする請求項４記載の情報記録媒体の陳列用収納ケース。
【請求項７】
ケース垂立開口部に近在する出没案内スリットにケース上端面より上方に向け垂設される出没案内板を第１出没案内板とし、該第１出没案内板と共に貸出可能表示体を出没案内する第２出没案内板が、ケースの垂立開口面の対面側を除き、２面ないし３面で出没する貸出可能表示体を囲繞する位置に垂設されたことを特徴とする請求項６記載の情報記録媒体の陳列用収納ケース。
【請求項８】
請求項４記載の陳列用収納ケースの構成要素である貸出可能表示体を、イベント対象、貸出期間の長短ないし特例等の貸出特性に応じ、彩色を変えるか、或いは識別手段を付設し、これらの彩色された、或いは識別手段の付設された貸出可能表示体を、各貸出特性に応じ、請求項４記載のケースに形成された架在板状片に自在に載架することを特徴とする請求項２記載の情報記録媒体の陳列方法。
【請求項９】
請求項６記載の陳列用収納ケースの構成要素である出没案内板、或いは請求項７記載の陳列用収納ケースの構成要素である第１出没案内板における顧客からの視認可能な面に、貸出中ないしはこれに類する貸出中状態表示手段が付設され、該貸出中状態表示手段が、貸出可能表示体が突出している時には顧客より視認不能であり、貸出可能表示体が没入している時は顧客が視認可能であることを特徴とする請求項２記載の情報記録媒体の陳列方法。
【発明の詳細な説明】
【０００１】
【発明が属する技術分野】
本発明は、情報記録媒体の陳列用収納ケースとその陳列方法に関する。
【０００２】
本発明は特に、ビデオテープやＤＶＤなどの情報記録媒体を陳列棚に多数配置して陳列し顧客に一定の条件の下でこれらを貸し出すレンタルショップで使用される、情報記録媒体の陳列用収納ケースとその陳列方法に関するものである。
【０００３】
【従来の技術】
本発明に関連する従来の技術については、現在最も普及率の高いとされているビデオテープの陳列方法及び陳列用ケースに係る特許第２１３２８６８号（特公平７−４１９４１）ないし情報記録媒体陳列ケースに係る実開平５−８１０９０号の技術が存在する。
【０００４】
従来技術の一は、情報記録媒体ないしこれを収納する内収納ケースに併せた中空の平直方体形状であって、情報記録媒体が出し入れ自在に収納され、陳列棚に配置して陳列されるとともに、情報記録媒体ないしこれを収納する内収納ケースがケース内に収納された状態を貸出可能状態とし、情報記録媒体ないしこれを収納する内収納ケースが取り出されケース内にない状態を貸出中状態として、これらの状態を陳列時に表示する貸出状態表示手段を備えたものであって、収納されるビデオテープもしくはテープケースが、陳列用ケースにその上端に設けられた収納口より収納され、収納時にはテープケースの上端が収納口より突出し、或いはそのために陳列用ケースの底を上げ底型式として、収納時における突出部に貸出可能状態を表示する表示手段を設けたものである。
【０００５】
従来技術の二は、従来技術の一とほぼ同時期に出願された技術であって、従来技術の一とほぼ同様の構成である。筐体、即ち陳列用ケースの部分の上端を開放面とし、情報記録媒体を利用者が取り出したときに「貸出中」の表示が現れ、収納したときに「貸出中」の表示が情報記録媒体によって隠される構成のものである。
【０００６】
【発明が解決しようとする課題】
上記従来技術の前者、後者ともに、陳列用ケースの上端面を解放面としているため、陳列用ケースへの出し入れが簡便である反面、塵埃が飛散している室内では、情報記録媒体への塵埃の混入を防ぐため、情報記録媒体を内収納ケースに入れて保管、陳列せざるを得ない、という課題があった。
【０００７】
また上記従来技術においては、内収納ケースが陳列時に陳列ケース上端より突出する構成であり、実際上陳列ケースは内収納ケースの表示手段以外の部分を囲繞し覆蔽する上げ底部を有する台座にすぎないものであるため、内収納ケースに設けられる表示手段が、貸出可能状態以外の商品特性ないしは商品状態表示につき視覚的訴求力を欠く、という課題があった。
【０００８】
また上記のように、表示手段が、貸出可能状態以外の商品特性ないしは商品状態表示につき視覚的訴求力を欠く、という課題の残存により、外観上の個性に乏しいビデオテープなど情報記録媒体の商品特性、すなわち「貸出可能」のみならず、「７泊８日貸出可能」、「新入荷」、「特価貸出」などの個性を陳列時に表示しようとすれば、そのたびに、異なった商品特性表示の設けられた内収納ケースに入れ直さなくてはならず、煩瑣であるとともに、内収納ケースがビデオテープ並の嵩をとるため、内収納ケースの大量保管時に大きな収納スペースを必要とする、という課題があった。
【０００９】
本発明はこのような課題にかんがみ、媒体内に塵埃が混入しにくく、貸出可能ないし貸出中以外の陳列商品状態ないし商品特性の表示につき、内収納ケースの個性化を必要とせずに、貸出可能ないし貸出中の表示と同等の視覚的訴求力をもって表示することが可能な情報記録媒体の陳列用収納ケースとその陳列方法を提供することを目的とする。
【００１０】
【課題を解決するための手段】
本発明は、陳列用収納ケースについては、情報記録媒体ないしこれを収納する内収納ケースに併せた中空の平直方体形状であって、情報記録媒体が出し入れ自在に収納され、陳列棚に配置して陳列されるとともに、情報記録媒体ないしこれを収納する内収納ケースがケース内に収納された状態を貸出可能状態とし、情報記録媒体ないしこれを収納する内収納ケースが取り出されケース内にない状態を貸出中状態として、これらの状態を陳列時に表示する貸出状態表示手段を備えた情報記録媒体の陳列用収納ケースにおいて、該陳列用収納ケースが、情報記録媒体の厚み部分に対応する垂立面の一つを、開口面として収納口とするとともに、上記表示手段が固形の貸出可能表示体を備え、該貸出可能表示体が、ケース上域に設けられた可動支持手段により可動支持されケース内外に出没自在であるとともに、上記貸出可能状態では、前記貸出可能表示体が、情報記録媒体ないしこれを収納する内収納ケースに押上げられて突出し、上記貸出中状態では、前記貸出可能表示体がケース内に没入する構成を、主要課題解決手段とするものである。
【００１１】
また本発明は、陳列方法については、情報記録媒体ないしこれを収納する内収納ケースの収納陳列時には、前項記載の本発明に係る情報記録媒体の陳列用収納ケースに、情報記録媒体ないしこれを収納する内収納ケースを、垂立開口面より挿入して収納し、貸出可能表示体をケース外に上方突出させ、貸出可能表示体が上方突出した状態、並びに、情報記録媒体の貸出時等収納ケースへの不収納陳列時には、情報記録媒体ないしこれを収納する内収納ケースを、垂立開口面より脱挿して収納し、貸出可能表示体をケース内に没入させ、貸出可能表示体が視認不能ないしはこれに近い状態、の両状態を顧客が視認可能となる位置に、前項記載の本発明に係る情報記録媒体の陳列用収納ケースを配置して、陳列棚に陳列する構成を、同じく主要課題解決手段とするものである。
【００１２】
上記主要課題解決手段のもとに、本発明は、陳列用ケースにつき、垂立開口面に隣接し、ケースの垂立板部、すなわち情報記録媒体ないしこれを収納する内収納ケースを収納時に当接挟持する垂立板状部に、当接挟持補強手段が設けられた構成をとりうる。
【００１３】
また本発明は、上記主要課題解決手段のもとに、陳列用収納ケースが、ケース状態形成時にケース状態固定手段を備え、垂立開口面より展開自在であり、ケース上端面に、上記貸出可能表示体の可動支持手段である板状片が架在する構成とし、該架在板状片の両端となるケース上端面の適宜位置に、出没案内スリットが形成されるとともに、貸出可能表示体が、少なくとも１側面を開口面とする類直方体状の枡状体であって、該枡状体の１辺が切欠形状となり緩曲凸状のワープ面ないしテーパ面に構成され、該ワープ面部ないしテーパ面部をケースの垂立開口面と近接する側の下方位置に配して、上記板状片に載架され、上記枡状体の２垂在片が、上記出没案内スリットに可動内挿される構成をとりうるものである。
【００１４】
陳列用収納ケースに係る前項の課題解決手段のもとに、本発明は、ケース垂立開口部に近在する出没案内スリットの幅長が、貸出可能表示体の曲面ないしテーパ面形成域の長さとほぼ同じである構成、或いはケース垂立開口部に近在する出没案内スリットに、ケース上端面より上方に向け出没案内板が垂設された構成をとりうる。
【００１５】
特に前項後者の課題解決手段においては、本発明は、ケース垂立開口部に近在する出没案内スリットにケース上端面より上方に向け垂設される出没案内板を第１出没案内板とし、該第１出没案内板と共に貸出可能表示体を出没案内する第２出没案内板が、ケースの垂立開口面の対面側を除き、２面ないし３面で出没する貸出可能表示体を囲繞する位置に垂設された構成をとりうる。
【００１６】
また本発明は、陳列方法に係る主要課題解決手段のもとに、前記の陳列用収納ケースの構成要素である貸出可能表示体を、イベント対象、貸出期間の長短ないし特例等の貸出特性に応じ、彩色を変えるか、或いは識別手段を付設し、これらの彩色された、或いは識別手段の付設された貸出可能表示体を、各貸出特性に応じ、前記のケースに形成された架在板状片に自在に載架する構成をとりうる。
【００１７】
さらに本発明は、陳列方法に係る主要課題解決手段のもとに、前記陳列用収納ケースの構成要素である出没案内板、或いは前記陳列用収納ケースの構成要素である第１出没案内板における顧客からの視認可能な面に、貸出中ないしはこれに類する貸出中状態表示手段が付設され、該貸出中状態表示手段が、貸出可能表示体が突出している時には顧客より視認不能であり、貸出可能表示体が没入している時は顧客が視認可能である構成をとりうるものである。
【００１８】
上述の構成により、情報記録媒体ないしこれを収納する内収納ケースを、陳列用収納ケースの開口垂立面である収納口より内挿収納されると、すなわち情報記録媒体が陳列用収納ケースの中に収納され貸出可能状態となると、可動支持手段により可動支持された貸出可能表示体が、情報記録媒体ないしこれを収納する内収納ケースの上端面により押し上げられ、陳列用収納ケースの外部に突出してユーザーにより視認可能となる。
【００１９】
反対に、情報記録媒体ないしこれを収納する内収納ケースを、陳列用収納ケースの開口垂立面である収納口より取り出すと、すなわち情報記録媒体が陳列用収納ケースの中から取り出されユーザーへの貸出に供された状態、いわゆる貸出中の状態となると、可動支持手段により可動支持された貸出可能表示体は、これを貸出可能状態において押し上げケース外に突出させていた情報記録媒体ないし内収納ケースの上端面が、陳列用収納ケース外へと除去されるため、陳列用収納ケースの内部に没入し、少なくとも一定の部分がユーザーから視認不能となる。
【００２０】
通常のビデオ内収納ケースのように、陳列用収納ケースが、情報記録媒体の厚み部分に対応する垂立面の一つを、開口面として収納口とする構成では、陳列用ケースから情報記録媒体ないしこれが収納された内収納ケースを取り出す際に、不測の滑脱が生じることがあるため、垂立開口面に隣接するケースの垂立板部に、当接挟持補強手段が設け、情報記録媒体ないし内収納ケースを収納時に当接挟持させておけば、このような不測の滑脱、及びこれによる情報記録媒体ないし内収納ケースの落下損傷は生じにくくなる。
【００２１】
このような効果を実現するための典型的且つ最も効率的な構成としては、陳列用収納ケースが、ケース状態形成時にケース状態固定手段を備え、垂立開口面より展開自在であり、ケース上端面に、上記貸出可能表示体の可動支持手段である板状片が架在する構成とし、該架在板状片の両端となるケース上端面の適宜位置に、出没案内スリットが形成されるとともに、貸出可能表示体が、少なくとも１側面を開口面とする類直方体状の枡状体であって、該枡状体の１辺が切欠形状となり緩曲凸状のワープ面ないしテーパ面に構成され、該ワープ面部ないしテーパ面部をケースの垂立開口面と近接する側の下方位置に配して、上記板状片に載架され、上記枡状体の２垂在片が、上記出没案内スリットに可動内挿される構成である。
【００２２】
出没案内スリットは、貸出可能表示体が凹部を備えた枡状体であるため、これが載架される板状片が陳列用収納ケースの上端に設けられるという構成上、出没案内スリットの構成は、半ば必然的に、陳列用収納ケースの奥側に設けられる第１スリットと、ケース垂立開口部に近在し第１スリットより幾分大きな開口部として設けられる第２スリットを備えることとなる。
【００２３】
このような構成では、ケース上端の一部を構成する板状片に、枡状体である貸出可能表示体の凹部が上下に遊動自在に載架されているため、情報記録媒体ないし内収納ケースが陳列用収納ケースに内挿されると、枡状体である貸出可能表示体の１辺が切欠形状となっている緩曲凸状のワープ面ないしテーパ面をまず押し上げ、奥側の出没案内スリットより陳列用収納ケース外への突出が始まる。
【００２４】
この過程において、ケース垂立開口部に近在する出没案内スリットの幅長が、貸出可能表示体の曲面ないしテーパ面形成域の長さとほぼ同じであれば、曲面ないしテーパ面を情報記録媒体ないし内収納ケース上端面が押し上げるとともに、陳列用収納ケース開口面に平行して垂在する枡状体の垂在片が第１スリットより効率よく押し上げられ、そののち情報記録媒体ないし内収納ケース上端面の枡状体の下方水平片への当接が進み、第１スリットを回動の中心として、ケース垂立開口部に近在する第２スリットより枡状体の残余部が押し上げられる。この作用により、貸出可能表示体の突出は、頗る円滑となる。
【００２５】
貸出可能表示体の陳列用収納ケース内への没入は、重力ないし落下の方向と一致するため、第１スリットの幅に余裕を設ければ、円滑である。さらにケース垂立開口部に近在する出没案内スリットに、ケース上端面より上方に向け出没案内板が垂設しておけば、貸出可能表示体の出没は、極めて円滑となる。
【００２６】
ケース垂立開口部に近在する出没案内スリットにケース上端面より上方に向け垂設される出没案内板を第１出没案内板とし、該第１出没案内板と共に貸出可能表示体を出没案内する第２出没案内板が、ケースの垂立開口面の対面側を除き、２面ないし３面で出没する貸出可能表示体を囲繞する位置に垂設された構成を取る場合には、貸出可能表示体の出没の円滑さは、殆ど阻害されず、出没時に生じがちな不測の係留も生じにくい。
【００２７】
また出没案内板装設の効果はこれに留まらず、これを貸出中表示手段として使用することも可能となる。すなわち、出没案内板のうち、視認可能な面については、出没案内と貸出中表示手段の両機能を実現するものであって、出没案内板の顧客からの視認可能な面に、貸出中ないしはこれに類する貸出中状態表示手段を付設すれば、この貸出中状態表示手段が、貸出可能表示体が突出している時には顧客より視認不能であり、貸出可能表示体が没入している時は顧客が視認可能である情報記録媒体の陳列方法が可能となる。
【００２８】
一方、陳列用収納ケースが、ケース状態形成時にケース状態固定手段を備え、垂立開口面より展開自在であり、ケース上端面に、上記貸出可能表示体の可動支持手段である板状片が架在する構成の効果として、貸出可能表示体が取り外し交換するには、陳列用収納ケースを展開して貸出可能表示体を取り外し、別の個性表示がなされた貸出可能表示体を板状片に載架して再びケース状態を形成すればよい。このようにして貸出可能表示体が簡便な方法で取り外し交換自在となる。
【００２９】
従って、貸出可能表示体を、イベント対象、貸出期間の長短ないし特例等の貸出特性に応じ、彩色を変えるか、或いは識別手段を付設し、これらの彩色された、或いは識別手段の付設された貸出可能表示体を、各貸出特性に応じ、陳列用収納ケースに形成された架在板状片に自在に載架する陳列方法が可能となる。
【００３０】
貸出可能表示体を簡便な方法で交換自在とすることにより、貸出可能ないし貸出中以外の陳列商品状態ないし商品特性の表示につき、内収納ケースの個性化は不必要となり、その結果「７泊８日貸出可能」、「新入荷」、「特価貸出」などの個性表示のために従来必要とされた、異なる商品特性表示備説の内収納ケースへの煩瑣な入れ直し作業も要しない。
【００３１】
また貸出可能表示体の大きさ自体、従来の内収納ケースに比べ格段に小さいものであるため、内収納ケースに比べわずかな保管スペースしか要しないため、保管上も経済的となる。
【００３２】
このような陳列方法を通じ、貸出可能表示体は陳列用収納ケースより出没自在であるため、視覚的訴求力に富み、ユーザに貸出可能状態ないし貸出中状態を鮮烈に印象づけるものとなるとともに、貸出可能表示体が陳列用ケースの上端面に架在する構成であるため、陳列用収納ケースの上端面は、常時殆ど覆蔽され、情報記録媒体への塵埃の混入は僅少である。
【００３３】
【発明の実施の形態】
以下本発明の実施形態を図面を参照しながら説明する。
【００３４】
図１は、本発明情報記録媒体陳列用収納ケース実施形態の使用時を示す全体側面透視図である。図１（ａ）は本実施形態使用時のうち、情報記録媒体収納陳列時の側面透視図であり、図１（ｂ）は本実施形態使用時のうち、情報記録媒体貸出時の側面透視図である。これら図１（ａ）（ｂ）に示されるように、本実施形態は、陳列用収納ケース１の情報記録媒体の厚み部分に対応する垂立開口面１ａより、情報記録媒体ないしは情報記録媒体の収納される内収納ケースを出し入れして使用するものであるが、その実施例として、本実施形態では内収納ケース１０を出し入れするものである。
【００３５】
図１（ａ）（ｂ）に示されるように、陳列用収納ケース１の上端面１ｂには、一部切欠枡状体の貸出可能表示体２が載架されてこれを可動支持する板状片３が、ケースの厚み部分に架在する構成となっており、この板状片３を挟在させる位置に、垂立開口面１ａよりケース奥側に第１スリット４、手前側に第２スリット５が設けられる。これら第１スリット４及び第２スリット５は、貸出可能表示体２の出没案内スリットを構成する。
【００３６】
陳列用収納ケース１は、その垂立開口面１ａより展開自在である。言い換えれば、ケース形成時に垂立開口面１ａで厚み空間を隔てて近接し、垂立開口面１ａと対峙する垂立閉鎖面１ｃを介して連設される２片のケース形成片１１、１２が、垂立閉鎖面１ｃを回動中心域として回動自在であるとともに、ケース形成時には、小ラッチ機構などのケース状態固定手段によりケース状態が固定される構成のものである。この構成は、一般的なビデオケースにおいて汎用的構成である。なお、内収納ケース１０が陳列用収納ケース１に完全収納され、それぞれの垂立端面が一致するように、直線状の仕切突縁１ｄが陳列用収納ケースの内部に突設されている。
【００３７】
板状片３は、２片のケース形成片１１，１２のうちいずれか一方、例えば第１ケース形成片１１より厚み方向に突設され、ケース形成時にその自由端縁３ａがもう片方のケース形成片である第２ケース形成片１２に近接する構成のものが望ましい。貸出中状態時に、貸出可能表示体２が陳列用収納ケース１の内部に没入しユーザより視認不能に近い状態とするために、板状片３の突設位置は、その上表面３ｂが、陳列用収納ケース上端面１ｂより、少なくとも貸出可能表示体構成部材の厚み分だけ下方の位置であることが望ましい。
【００３８】
板状片３に載架される貸出可能表示体２は、その拡大斜視図である図２に示されるように、硬質合成樹脂製の一部切欠枡状体である。一部切欠枡状体とは、中空直方体の一辺域が三角柱状に切欠し、対峙して垂在する２面の形状が、３隅が直角で２隅が鈍角であり、５片の矩形片によって囲繞構成される５角形であるとともに、この５角形の面のうち少なくとも１面は完全開放面であって、５角形の凹部２０を備えた構成のものである。本実施形態においては、一面が開放５角面２１、もう一面が閉鎖５角面２２となっている。
【００３９】
言い換えれば、貸出可能表示体２は、凹部２０を備え、開放５角面２１、閉鎖５角面２２、及び閉鎖５角面２２よりケース厚み方向に垂設される５片の矩形片、即ち最大矩形片である上部長矩形片２３、垂立開口面１ａより奥に垂在する長矩形垂在片２４、開口面１ａに近在する短矩形垂在片２５、並びに長短の両矩形垂在片２４、２５との間に介在し上部長矩形片２３と平行な下部短矩形片２６、そして下部短矩形片２６と短矩形垂在片２５との間に介在するテーパ矩形片ないしワープ矩形片２７である。上部長矩形片の両端縁以外の各片接合部は、貸出可能表示体２の出没時の可動性を良好とするために、全てアールを付してある。
【００４０】
貸出可能表示体２が板状片３に載架された状態では、両５角面２１、２２は、第１ケース形成片１１、第２ケース形成片１２に近接ないし当接する垂在面であり、板状片３の上表面３ｂに載架され当接する部位は、貸出可能表示体２の凹部２０の上部長矩形片２３である。上部長矩形片２３は、貸出可能表示体を構成する各矩形片のうち最大である。貸出可能表示体２は、情報媒体の貸出特性に合わせ、数種類の異なった色に配色される場合もある。
【００４１】
貸出可能表示体２の板状片３への載架時において、貸出可能表示体２が可動支持された状態を保持させるため、第１スリット４は、貸出可能表示体２の構成素材の厚みよりやや大きめの巾に構成され、また板状片３は、ケース状態形成時に第２ケース形成片１２に対し、貸出可能表示体２の構成素材の厚みよりやや大きめの巾の間隙を持たせて、その自由端縁３ａが近接する構成としている。
【００４２】
このような構成のもとに、貸出可能表示体２は、陳列用収納ケース１が展開された時には、その開放５角面２ａが板状片３の自由端縁３ａより板状片３に外嵌され、着脱自在である。貸出可能表示体２を装着して陳列用収納ケース１をケース形成状態とした時は、板状片３の自由端縁３ａが、貸出可能表示体２の構成素材の厚みよりやや大きめの巾の間隙を持たせて第２ケース形成片１２に近接するため、貸出可能表示体２は、陳列用収納ケース１に、可動性を保持したまま固装される。
【００４３】
なお貸出可能表示体２の直方体の切欠部とされる部分は、テーパ矩形片ないしワープ矩形片２７であり、その外表面２７ａは緩曲凸状のワープ面ないしテーパ面となっており、テーパ矩形片ないしワープ矩形片２７は、貸出可能表示体２が板状片３に載架された状態では、陳列用収納ケース１の垂立開口面１ａと近接する側の下方位置に配される。
【００４４】
貸出可能表示体２の両５角面２１、２２以外の垂在片、即ちケースの厚み部分に介在する矩形の２垂在片、即ち垂立開口面１ａより奥に垂在する長矩形垂在片２４が第１スリット４に、開口面１ａに近在する短矩形垂在片２５が第２スリット５に可動内挿される。第２スリット５の幅長は、貸出可能表示体２のワープ面ないしテーパ面形成域の長さＬとほぼ同じか、或いは若干これより大きい。
【００４５】
貸出可能表示体２のケース外突出時と没入時の高低可動域は、従って上部長矩形片２３と下部短矩形片２６との間の距離、言い換えれば、長短矩形垂在片２４、２５の凹部２０内の内部矩形長と一致するのが典型的実施例である。陳列用収納ケース１に内収納ケースを収納した時、即ち貸出可能状態時には、内収納ケース１０の上端面１０ａは、板状片３の下表面３ｃに面当接ないし面近接する構成とされる。
【００４６】
貸出可能表示体２の出没案内スリットのうち、ケース垂立開口面１ａに近在する第２スリット５には、ケース上端面１ｂより上方に向け、出没案内板６が垂設される。この出没案内板６は、２片の板状片を連設したＬ字状であって、ケース垂立開口面１ａにこれと平行に近在する第１出没案内板状片６ａ、ケース垂立開口面１ａに垂直でありケース垂立閉鎖面１ｂの存在方向に延在させケース上端面１ｂに垂設される第２出没案内板状片６ｂとにより構成される。
【００４７】
貸出可能表示体２は、その出没時に、これら２片の出没案内板状片６ａ〜ｂにより２面で当接囲繞され案内される。出没案内板のケース上端面からの高さは、貸出可能表示体２の最突出時の高さにほぼ一致する。第１出没案内板状片６ａは、短矩形垂在片２５に当接し、第２出没案内板状片６ｂは開放５角面２１に当接し、これらをそれぞれ出没案内する。
【００４８】
陳列用ケース１を陳列棚に陳列する際には、主にケース垂立閉鎖面１ｂをユーザ側に向け陳列される。従って、通常の場合、出没案内板６の構成部位のうちユーザが視認可能な面については、第１出没案内板状片６ａのユーザ側に向いている面がユーザ視認可能面７となる。
【００４９】
なお陳列用収納ケース１の垂立板部、即ち内収納ケース１０を収納時に当接挟持する垂立板状部である第１ケース形成片１１、第２ケース形成片１２には、内収納ケース１０の当接挟持を補強する挟持補強突片１３ａ、１３ｂが、陳列用収納ケース１の内部に向け突設されている。また内収納ケース１０が内挿されるときに貸出可能表示体２がテーパ矩形片ないしワープ矩形片２７に円滑に当接するように、頂部にアールを付された内挿案内丘１４が、陳列用収納ケース１の内部に突設されている。
【００５０】
以上のような構成により、内収納ケース１０を、陳列用収納ケース１の開口垂立面即ち収納口１ａより内挿され、内挿案内丘１４に案内されて収納されると、これが情報記録媒体の貸出可能状態となる。この貸出可能状態においては、可動支持手段である板状片３により可動支持された貸出可能表示体２が、内収納ケース１０の上端面１０ａにより押し上げられ、陳列用収納ケース１の外部に突出してユーザーにより視認可能となる。
【００５１】
反対に、内収納ケース１０を、陳列用収納ケース１の開口垂立面即ち収納口１ａより取り出すと、いわゆる貸出中の状態になる。図４（ａ）は本実施形態の貸出可能陳列時のユーザ視認状態全体図であり、図４（ｂ）は同貸出中状態陳列時のユーザ視認状態全体図であるが、図１（ｂ）ないし図４（ｂ）に示されるように、貸出中状態においては、板状片３により可動支持された貸出可能表示体２は、これを貸出可能状態において押し上げ陳列用ケース１のケース外に突出させていた内収納ケース１０の上端面１０ａが陳列用収納ケース外へと除去されるため、陳列用収納ケース１の内部に没入し、板状片上表面３ｂが、陳列用収納ケース上端面１ｂより少なくとも貸出可能表示体構成部材の厚み分だけ下方の位置であるため、ユーザの水平視線では、視認不能に近い状態となる。
【００５２】
内収納ケース１０が陳列用収納ケース１にその開口面１ａより内挿されると、まず内挿案内丘１４によって案内された内収納ケース１０は、貸出可能表示体２のワープ矩形片ないしテーパ矩形片２７の下表面２７ａを上へと押し上げ、貸出可能表示体２は、第１スリット４より陳列用収納ケース１外への突出が始まる。第１スリット４は、貸出可能表示体２の構成素材の厚みよりやや大きめの巾に構成されているので、上部長矩形片２３と長矩形垂在片２４との接合部の可動性は良好である。
【００５３】
第２スリット５の幅長は、貸出可能表示体２の曲面ないしテーパ面形成域の長さＬとほぼ同じであるため、貸出可能表示体２のワープ矩形片ないしテーパ矩形片２７の下表面２７ａを上へと押し上げるとともに、まず長矩形垂在片２４が第１スリット４より、またこれとほぼ同時に短矩形垂在片２５が第２スリット５より押し上げられ、そののち内収納ケース１０の上端面１０ａが、枡状体下方水平片である下部短矩形片２６への当接が摺動しつつ進み、第１スリット４を回動の中心として、ケース垂立開口面１ａに近在する第２スリット５より貸出可能表示体２の残余部が押し上げられる。
【００５４】
上部長矩形片の両端縁以外の各片接合部には全てアールを付してあるため、貸出可能表示体２と内収納ケース１０の上表面１０ａとの当接摺動は円滑であるため、前々段及び前段に記載された作用の過程は、終始円滑でなる。また陳列用収納ケース１の外部に突出しつつある貸出可能表示体２は、第１出没案内板状片６ａは、短矩形垂在片２５に当接し、第２出没案内板状片６ｂは開放５角面２１に当接し、これらによってそれぞれ出没案内されるため、貸出可能表示体２の突出過程も円滑である。
【００５５】
このようにして、内収納ケース１０を陳列用収納ケース１の最奥部、即ち仕切突縁１ｄまで内挿していく過程で、貸出可能表示体２は、図４（ａ）に示されるように、内収納ケース内挿過程を示す側面透視図である図３に示されるように、最大限陳列用収納ケース上端面１ｂより突出した状態を経て、内収納ケース１０が仕切突縁１ｄまで完全に内挿され水平となった時点で、再びやや陳列用収納ケース１内へと没入し、下部短矩形片２６が内収納ケース１０の上端面１０ａに水平載置された状態で静止する。この静止状態即ち貸出可能表示体２のケース外突出静止状態は、内収納ケース１０が陳列用収納ケース１の内部に内挿収納されている状態を通じて維持される。
【００５６】
また陳列用ケース１を陳列棚に陳列する際には、主にケース垂立閉鎖面１ｂをユーザ側に向け陳列されるため、出没案内板６ａ〜ｂのうち、第１出没案内板状片６ａのユーザ視認可能面７に、「貸出中」ないしはこれに類する貸出中状態表示手段を付設すれば、この貸出中状態表示手段が、貸出可能表示体が突出している時には顧客より視認不能であり、貸出可能表示体が没入している時は顧客が視認可能となる。
【００５７】
この貸出中状態表示手段は、彩色する際には、陳列時にユーザに鮮烈な視覚的印象を与えるため、陳列場所全体で統一され、また貸出可能表示体２の色彩との対比が鮮烈である彩色が望ましい。典型的実施例としては、ユーザ視認可能面７は、陳列用収納ケース１と同色、特に黒が望ましく、貸出中状態表示手段を構成する「貸出中」の配字は、陳列場所全体で赤に統一され、貸出可能表示体２の彩色は、青系、緑系、黄色系とする実施例が望ましい。
【００５８】
前段の典型的実施例のもとでは、陳列用収納ケース１が、垂立開口面１ａより展開自在であるため、貸出可能表示体２の取り外し交換は自在である。従って貸出対象となる情報記録媒体の貸出特性に応じ、それに変化が生じた場合、例えば新作ものを表示する彩色の青系の貸出可能表示体２を取り出し、代わりに例えば７泊８日貸出可能という貸出特性を表示する緑系の貸出可能表示体２を装着するなど、別の個性表示がなされた貸出可能表示体２を板状片３に載架して再びケース状態を形成すればよい。
【００５９】
貸出可能表示体２は、通常のビデオケースや普及型の内収納ケース１０よりも、大きさの非常に小さいものであり、彩色や大量生産も極めて容易である。また貸出可能表示体２の交換も頗る簡便であるため、貸出可能ないし貸出中以外の陳列商品状態ないし商品特性の表示につき、従来必要とされた内収納ケースの個性化は不必要となる。
【００６０】
その結果「７泊８日貸出可能」、「新入荷」、「特価貸出」など貸出特性の変化に応じて従来必要とされた、異なる商品特性表示備説の内収納ケースへの煩瑣な入れ直し作業も要せず、内収納ケース１０に比べわずかな保管スペースしか要しない。
【００６１】
貸出可能表示体２は陳列用収納ケース１より出没自在であるため、図４（ａ）（ｂ）に示されるように、特に内収納ケース１０の取り出し時はその出没の動きにより、またこれによって、陳列用収納ケース１を大量に陳列棚に並列した場合、貸出中か貸出可能状態にあるかは、貸出可能表示体２の山型ないし折れ線状のバラエティにより表示されるため、視覚的訴求力に富み、ユーザに貸出可能状態ないし貸出中状態を鮮烈に印象づけるものとなる。
【００６２】
陳列時を通じ、貸出可能表示体２が陳列用ケース１の上端面１ｂに架在する構成であるため、陳列用収納ケース１０の上端面は、常時殆ど覆蔽され、陳列用収納ケース１０の上域が完全露出していた従来のものにくらべ、情報記録媒体への塵埃の混入は僅少である。
【００６３】
ユーザが陳列用収納ケース１から情報記録媒体の入った内収納ケース１０を取り出す際にも、第１ケース形成片１１、第２ケース形成片１２に設けられた挟持補強突片１３ａ、１３ｂが、内収納ケース１０を緩やかに挟持するため、不測の滑脱、及びこれによる内収納ケース１０ないしその内に収納される情報記録媒体の落下損傷は生じにくい。
【００６４】
【発明の効果】
以上詳述したように、本発明に係る情報記録媒体の陳列用収納ケースとその陳列方法によれば、媒体内に塵埃が混入しにくく、貸出可能ないし貸出中以外の陳列商品状態ないし商品特性の表示につき、内収納ケースの個性化を必要とせずに、貸出可能ないし貸出中の表示と同等の視覚的訴求力をもって表示することが可能な情報記録媒体の陳列用収納ケースとその陳列方法が提供される。
【図面の簡単な説明】
【図１】本発明情報記録媒体陳列用収納ケース実施形態の使用時を示す全体側面透視図であって、（ａ）は貸出可能時、即ち情報記録媒体収納陳列時の側面透視図であり、（ｂ）は情報記録媒体貸出時の側面透視図である。
【図２】本実施形態の貸出可能表示体の拡大斜視図である。
【図３】本実施形態の内収納ケース内挿過程を示す側面透視図である。
【図４】（ａ）は本実施形態の貸出可能陳列時のユーザ視認状態全体図であり、（ｂ）同貸出中状態時陳列時のユーザ視認状態全体図である。
【符号の説明】
１　　　　　　陳列用収納ケース
１ａ　　　　　垂立開口面
１ｂ　　　　　上端面
１ｃ　　　　　垂立閉鎖面
１ｄ　　　　　仕切突縁
１０　　　　　内収納ケース
１０ａ　　　　内収納ケース上端面
１１　　　　　第１ケース形成片
１２　　　　　第２ケース形成片
１３ａ、ｂ　　挟持補強突片
１４　　　　　内挿案内丘
２　　　　　　貸出可能表示体
２０　　　　　凹部
２１　　　　　開放５角面
２２　　　　　閉鎖５角面
２３　　　　　上部長矩形片
２４　　　　　長矩形垂在片
２５　　　　　短矩形垂在片
２６　　　　　下部短矩形片
２７　　　　　テーパ矩形片ないしワープ矩形片
２７ａ　　　　テーパ矩形片ないしワープ矩形片下表面
３　　　　　　板状片
３ａ　　　　　板状片自由端縁
３ｂ　　　　　板状片上表面
３ｃ　　　　　板状片下表面
４　　　　　　第１スリット
５　　　　　　第２スリット
６　　　　　　出没案内板
６ａ　　　　　第１出没案内板状片
６ｂ　　　　　第２出没案内板状片
７　　　　　　ユーザ視認可能面
【図１】
2004001811.tif 000003
【図２】
2004001811.tif 000004
【図３】
2004001811.tif 000005
【図４】
2004001811.tif 000006